(57)【要約】【課題】ワイパ制御部（マイコン）が故障した場合でも確実にワイパ動作ができるワイパ装置を提供する。【解決手段】操作者によって操作されるワイパレバー１０と、ワイパレバー１０の一部、本実施の形態では下端側に設けられた磁石２０（永久磁石）と、磁石の移動による磁界の変化を検出する磁気検出部３０と、磁気検出部３０の検出結果に基づいてオンオフ信号を出力する制御部４０と、ワイパレバー１０の動きに基づいてオンオフ信号を出力する接点スイッチ部５０と、制御部４０のオンオフ信号又は接点スイッチ部５０のオンオフ信号に基づいてワイパブレード７０を駆動するワイパ駆動部６０と、を有してワイパ装置１を構成する。【選択図】図３
2015110359.tif 000002
【特許請求の範囲】
【請求項１】
操作者によって操作されるワイパレバーと、
前記ワイパレバーの一部に設けられた磁石と、
前記磁石の移動による磁界の変化を検出する磁気検出部と、
前記磁気検出部の検出結果に基づいてオンオフ信号を出力する制御部と、
前記ワイパレバーの動きに基づいてオンオフ信号を出力する接点スイッチ部と、
前記制御部のオンオフ信号又は前記接点スイッチ部のオンオフ信号に基づいてワイパを駆動するワイパ駆動部と、
を有することを特徴とするワイパ装置。
【請求項２】
操作者によって操作されるワイパレバーと、
前記ワイパレバーの一部に設けられた磁石と、
前記磁石の移動による磁界の変化を検出する磁気検出部と、
前記磁気検出部の検出結果に基づいてオンオフ信号を出力する制御部と、
前記磁石の移動による磁界の変化に基づいてオンオフ信号を出力する接点スイッチ部と、
前記制御部のオンオフ信号又は前記接点スイッチ部のオンオフ信号に基づいてワイパを駆動するワイパ駆動部と、
を有することを特徴とするワイパ装置。
【請求項３】
前記接点スイッチ部は、板バネ状を備え、前記板バネが前記ワイパレバーの動きに基づく前記磁石の移動に伴いその磁力により変形することによりオンオフ信号を出力することを特徴とする請求項２に記載のワイパ装置。
【請求項４】
前記ワイパ駆動部は、前記制御部がオン信号又は前記接点スイッチ部がオン信号のとき、前記ワイパを駆動することを特徴とする請求項１から３のいずれか１項に記載のワイパ装置。
【請求項５】
前記接点スイッチ部は、前記ワイパレバーの１方向の移動方向にのみ設けられていることを特徴とする請求項１から４のいずれか１項に記載のワイパ装置。
【発明の詳細な説明】
【技術分野】
【０００１】
本発明は、ワイパ装置に関し、特に、フェールセーフ機能を備えたワイパ装置に関する。
【背景技術】
【０００２】
自動車等の車両は、ウィンドウの汚れや雨滴等を拭くためのワイパが設けられており、このワイパを動かすためのワイパ装置がステアリングコラム側に取り付けられている。このワイパ装置は、一般に、ステアリングコラムに取り付けられたワイパスイッチ本体と、このワイパスイッチ本体により操作されてウインドウ上を払拭するように揺動可能に車両ボディに取り付けられたワイパブレード等から構成されている。
【０００３】
このような構成のワイパ装置において、操作レバーに取り付けられた磁石と、プリント配線基板に取り付けられた第１、第２、及び第３磁気検出素子とによって位置検出手段が構成されているワイパ装置がある（例えば、特許文献１参照）。このワイパ装置は、操作レバーが十字状の方向であって、第１の直線上である方向にそれぞれ傾倒されると、磁石と第１及び第２磁気検出素子との間隔が近づいたり離れたりするように動作し、第２の直線上である方向に傾倒されると、磁石と第３磁気検出素子との間隔が近づいたり離れたりする動作を行なうように構成されている。このワイパ装置によれば、安定した長寿命化出来る磁気式ストークスイッチを提供することができるとされている。
【先行技術文献】
【特許文献】
【０００４】
【特許文献１】特開２００２−２６０４９５号公報
【発明の開示】
【発明が解決しようとする課題】
【０００５】
しかし、上記のような従来のワイパ装置は無接点方式であるため、その動作を制御するためのマイコン等の制御部が故障した場合には機械的に接点オンしてワイパ装置を動作させる接点ジカ出力ができず、フェールセーフ機能がないという問題があった。
【０００６】
従って、本発明の目的は、ワイパ制御部（マイコン）が故障した場合でも確実にワイパ動作ができるワイパ装置を提供することにある。
【課題を解決するための手段】
【０００７】
［１］本発明は、上記目的を達成するため、操作者によって操作されるワイパレバーと、前記ワイパレバーの一部に設けられた磁石と、前記磁石の移動による磁界の変化を検出する磁気検出部と、前記磁気検出部の検出結果に基づいてオンオフ信号を出力する制御部と、前記ワイパレバーの動きに基づいてオンオフ信号を出力する接点スイッチ部と、前記制御部のオンオフ信号又は前記接点スイッチ部のオンオフ信号に基づいてワイパを駆動するワイパ駆動部と、を有することを特徴とするワイパ装置を提供する。
【０００８】
［２］本発明は、上記目的を達成するため、操作者によって操作されるワイパレバーと、前記ワイパレバーの一部に設けられた磁石と、前記磁石の移動による磁界の変化を検出する磁気検出部と、前記磁気検出部の検出結果に基づいてオンオフ信号を出力する制御部と、前記磁石の移動による磁界の変化に基づいてオンオフ信号を出力する接点スイッチ部と、前記制御部のオンオフ信号又は前記接点スイッチ部のオンオフ信号に基づいてワイパを駆動するワイパ駆動部と、を有することを特徴とするワイパ装置を提供する。
【０００９】
［３］前記接点スイッチ部は、板バネを備え、前記板バネが前記ワイパレバーの動きに基づく前記磁石の移動に伴いその磁力により変形することによりオンオフ信号を出力することを特徴とする上記［２］に記載のワイパ装置であってもよい。
【００１０】
［４］また、前記ワイパ駆動部は、前記制御部がオン信号又は前記接点スイッチ部がオン信号のとき、前記ワイパを駆動することを特徴とする上記［１］から［３］のいずれか１に記載のワイパ装置であってもよい。
【００１１】
［５］また、前記接点スイッチ部は、前記ワイパレバーの１方向の移動方向にのみ設けられていることを特徴とする上記［１］から［４］のいずれか１に記載のワイパ装置であってもよい。
【発明の効果】
【００１２】
本発明のワイパスイッチによれば、ワイパ制御部（マイコン）が故障した場合でも確実にワイパ動作ができるワイパ装置を提供することにある。
【図面の簡単な説明】
【００１３】
【図１】図１は、本発明の実施の形態に係るワイパ装置がステアリングコラムケースに取り付けられた状態を示す外観図である。
【図２】図２（ａ）は、本発明の第１の実施の形態に係るワイパ装置の回転支軸に直交する面の断面図であり、図２（ｂ）は、図２（ａ）のＡ―Ａ位置における断面図であり、図２（ｃ）は、図２（ａ）のＣ方向から見た下平面図である。
【図３】図３は、本発明の実施の形態に係るワイパ装置の概略構成を示す構成ブロック図である。
【図４】図４は、図２（ａ）における状態からＷＨポジション方向にワイパレバーの傾倒操作がされた状態を示す、回転支軸に直交する面の断面図である。
【図５】図５は、本発明の第２の実施の形態に係るワイパ装置の回転支軸に直交する面の断面図である。
【図６】図６は、本発明の第３の実施の形態に係るワイパ装置の回転支軸に直交する面の断面図である。
【図７】図７（ａ）は、本発明の第４の実施の形態に係るワイパ装置の回転支軸に直交する面の断面図であり、図７（ｂ）は、図７（ａ）における状態からＷＨポジション方向にワイパレバーの傾倒操作がされた状態を示す、回転支軸に直交する面の断面図である。
【図８】図８（ａ）は、本発明の第５の実施の形態に係るワイパ装置の回転支軸に直交する面の断面図であり、図８（ｂ）は、図８（ａ）における状態からＷＨポジション方向にワイパレバーの傾倒操作がされた状態を示す、回転支軸に直交する面の断面図である。
【発明を実施するための形態】
【００１４】
（本発明の第１の実施の形態）
（第１の実施の形態に係るワイパ装置の構成）
図１は、本発明の実施の形態に係るワイパ装置１がステアリングコラムケース１０１に取り付けられた状態を示す外観図である。
【００１５】
図１に示すように、回転支軸（１３ａ、１３ｂ）を中心として傾倒操作可能なワイパレバー１０とこのワイパレバー１０の傾倒操作により複数のスイッチポジションでオンオフするワイパスイッチ基板１２が車両のステアリングコラムケース１０１の上部にターンレバー１０３と共に取り付けられている。本実施の形態では、ワイパレバー１０の傾倒操作は、ＯＦＦポジション（ワイパ停止ポジション）を中心として、ステアリングホィール１０２の円周方向の上方向にＷＨポジション（高速ワイパ動作ポジション）、円周方向の下方向にＷＬポジション（低速ワイパ動作ポジション）、円周方向に略直交する車両の前方向にＩＮＴポジション（間欠ワイパ動作ポジション）、車両の後方向にＭＩＳＴポジション（ミスト動作ポジション）の略直交する２方向に傾倒操作が可能とされている。
【００１６】
なお、このワイパレバー１０とターンレバー１０３はステアリングホィール１０２に対して左右に対称的に配置されているが、この配置は日本市場向けであり、欧米向け等の車両では左右逆の配置になっている。
【００１７】
図２（ａ）は、本発明の第１の実施の形態に係るワイパ装置１の回転支軸１３ａに直交する面の断面図であり、図２（ｂ）は、図２（ａ）のＡ―Ａ位置における断面図であり、図２（ｃ）は、図２（ａ）のＣ方向から見た下平面図である。
【００１８】
ワイパ装置１は、操作者によって操作されるワイパレバー１０と、ワイパレバー１０の一部、本実施の形態では下端側に設けられた磁石２０（永久磁石）と、磁石の移動による磁界の変化を検出する磁気検出部３０と、磁気検出部３０の検出結果に基づいてオンオフ信号を出力する制御部４０と、ワイパレバー１０の動きに基づいてオンオフ信号を出力する接点スイッチ部５０と、制御部４０のオンオフ信号又は接点スイッチ部５０のオンオフ信号に基づいてワイパブレード７０を駆動するワイパ駆動部６０と、を有して構成されている。
【００１９】
第１の実施の形態では、接点スイッチ部５０は、磁石２０ａの移動による磁界の変化に基づいてオンオフ信号を出力する構成としている。この接点スイッチ部５０は、それぞれのポジションに設けることができるが、図２（ａ）、（ｂ）に示すように、ＷＨポジション（高速ワイパ動作ポジション）のみに設けられた構成としている。
【００２０】
ワイパレバー１０は、回転支軸（１３ａ、１３ｂ）を中心として傾倒操作可能な長尺状とされている。ワイパレバー１０は、回転支軸（１３ａ、１３ｂ）を挟んで、上側の操作部１０ａと下側の追従部１０ｂからなる棒状部材であり、追従部１０ｂの下端部１０ｃに磁石２０ａ〜２０ｄを取り付ける磁石取付ホルダ１１が装着されている。
【００２１】
回転支軸１３ａはワイパレバー１０に取り付けられ、この回転支軸１３ａと直交する回転支軸１３ｂを介してステアリングコラムケース１０１に取り付けられている。したがって、ワイパレバー１０は、図２（ａ）〜（ｃ）に示されるように、直交する２方向に傾倒操作が可能である。
【００２２】
磁石取付ホルダ１１には、ＷＨポジション、ＷＬポジション、ＩＮＴポジション、Ｍポジションの４つの方向にそれぞれ磁石２０ａ、２０ｂ、２０ｃ、２０ｄが取り付けられている。
【００２３】
磁石２０ａ、２０ｂ、２０ｃ、２０ｄは、ネオジウム磁石、サマリウムコバルト等の希土類磁石、フェライト磁石等の永久磁石を使用する。また、着磁方向、極性は種々設定可能であるが、本実施の形態では図２（ａ）に示すように、厚さ方向にＮ、Ｓ極とした。
【００２４】
ワイパスイッチ基板１２は、図２（ａ）に示すように、ガラスエポキシ基板の下面１２ａに磁気検出部としてホールＩＣが実装され、必要な配線パターンが施されている。上面１２ｂには、接点スイッチ部５０が実装され、必要な配線パターンが施されている。
【００２５】
図２（ｂ）に示すように、ワイパスイッチ基板１２の下面１２ａには、ＷＨポジション、ＷＬポジション、ＩＮＴポジション、Ｍポジションの４つのポジションにそれぞれ対応して、磁気検出部３０ａ、３０ｂ、３０ｃ、３０ｄが実装されている。ホールＩＣは、磁界の強度変化に応じて変化する検出信号を出力する。なお、磁気検出部としては、ホールＩＣ以外に、磁界の方向変化を検出するＭＲ(Magneto Resistance)素子、等を使用することも可能である。
【００２６】
接点スイッチ部５０は、ワイパスイッチ基板１２の上面１２ｂに設けられた板バネ５１と接点部材５２から構成される。板バネ５１の基部５１ａはワイパスイッチ基板１２に取り付けられ、中間部５１ｂで撓むことができ、先端部５１ｃは接点部材５２に接触することにより電気的に接続される。板バネ５１は、導電性を有し、かつ、磁石２０ａに吸着される強磁性体で形成されている。板バネ５１には、例えば、ばね鋼（ＳＵＰ６、７、９等）が使用できる。接点部材５２は、配線パターンの一部をランドとしたものを接点とすることができるが、カーボン材等を使用してもよい。なお、接点部材５２は、非磁性の材料が好ましい。
【００２７】
ここで、図３は、本発明の実施の形態に係るワイパ装置１の概略構成を示す構成ブロック図である。図２（ａ）、（ｃ）で示した磁気検出部３０ａ、３０ｂ、３０ｃ、３０ｄは、それぞれ制御部４０に接続されている。各磁石２０ａ、２０ｂ、２０ｃ、２０ｄの接近または離間により磁束密度Ｂによる磁界の強度変化が生じ、この作用により、ワイパレバー１０の傾倒操作が検出信号として制御部４０に出力される。
【００２８】
制御部４０は、磁気検出部３０ａ、３０ｂ、３０ｃ、３０ｄから入力される検出信号に基づいて、ワイパ駆動部６０にワイパモータ７１を駆動してワイパブレード７０を動作させる駆動信号Ｖｃを出力する。この制御部４０は、ワイパ制御を含む種々の制御を行なうマイコン（ＣＰＵ）を使用することができる。
【００２９】
接点スイッチ部５０は、板バネ５１の基部５１ａが抵抗Ｒを介してワイパ駆動部６０に接続されている。また、基部５１ａは、電源電圧Ｖｃｃにプルアップ抵抗Ｒｐを介して接続されている。一方、接点部材５２は、配線パターンを介してＧＮＤに接続されている。したがって、磁石２０ａの接近により磁束密度Ｂによる磁界の強度変化が生じ、この作用により板バネ５１の先端部５１ｃが磁石２０ａに吸着される方向に移動して接点部材５２と接触すると、ワイパ駆動部６０の入力端子電圧Ｖｂは、ＨｉレベルからＬｏレベルに変化する。
【００３０】
ワイパ駆動部６０は、制御部４０からの駆動信号Ｖｃ及び接点スイッチ部５０からの入力端子電圧Ｖｂに基づいて、ワイパモータ７１を電流駆動してワイパブレード７０を動作させる。ワイパ駆動部６０は、制御部４０からの駆動信号Ｖｃがオン信号（ワイパモータ駆動オン）のとき、または、接点スイッチ部５０からの入力端子電圧Ｖｂがオン信号（ワイパモータ駆動オン）のときにワイパモータ７１を電流駆動する。
【００３１】
本実施の形態では、例えば、制御部４０からの駆動信号ＶｃがＨｉレベル、接点スイッチ部５０からの入力端子電圧ＶｂがＬｏレベルのとき、オン信号（ワイパモータ駆動オン）とすることができる。
【００３２】
また、ワイパレバー１０が傾倒操作後に操作力を解除したときに自動的に中立位置（ＯＦＦポジション）に戻るモーメンタリレバーの場合には、上記の制御部４０からの駆動信号Ｖｃ、接点スイッチ部５０からの入力端子電圧Ｖｂをワイパ駆動部６０の内部でラッチ等することによりワイパ駆動動作を所定期間だけ継続させることができる。
【００３３】
（ワイパレバーの傾倒操作によるワイパ駆動動作）
図４は、図２（ａ）における状態からＷＨポジション方向にワイパレバーの傾倒操作がされた状態を示す、回転支軸１３ａに直交する面の断面図である。以下において、ワイパレバー１０がＷＨ方向に傾倒操作された図４の状態でのワイパ駆動動作を説明する。
【００３４】
ワイパレバー１０がＷＨポジション方向に傾倒操作されると、図４に示すように、磁石２０ａが磁気検出部３０ａに近接する位置まで移動する。磁石２０ａは、図示しないストッパ等によって磁気検出部３０ａに接触しない位置で移動を規制される。本実施の形態では、磁気検出部３０ａとしてホールＩＣを使用するので、磁気検出部３０ａに作用する磁束密度Ｂが大きくなり制御部４０に磁石の検出信号が出力される。
【００３５】
制御部４０は、磁気検出部３０ａから入力された検出信号により、ワイパレバー１０がＷＨポジション方向に傾倒操作されたと判断する。これにより、ワイパ駆動部６０へ駆動信号Ｖｃ（ワイパモータ駆動オン信号）を出力する。なお、駆動信号Ｖｃとは別に、高速ワイパ動作のための信号を出力する。これにより、ワイパ駆動部６０は、ワイパモータ７１を電流駆動して高速ワイパモードでワイパブレード７０を動作させる。
【００３６】
同様に、ワイパレバー１０がＷＬポジション方向に傾倒操作されると、磁気検出部３０ｂから制御部４０に磁石の検出信号が出力される。制御部４０は、磁気検出部３０ｂから入力された検出信号により、ワイパレバー１０がＷＬポジション方向に傾倒操作されたと判断する。これにより、ワイパ駆動部６０へ駆動信号Ｖｃ（ワイパモータ駆動オン信号）を出力して、ワイパモータ７１を電流駆動して低速ワイパモードでワイパブレード７０を動作させる。
【００３７】
また、ワイパレバー１０がＩＮＴポジション方向に傾倒操作されると、磁気検出部３０ｃから制御部４０に磁石の検出信号が出力される。制御部４０は、磁気検出部３０ｃから入力された検出信号により、ワイパレバー１０がＩＮＴポジション方向に傾倒操作されたと判断する。これにより、ワイパ駆動部６０へ駆動信号Ｖｃ（ワイパモータ駆動オン信号）を出力して、ワイパモータ７１を電流駆動して間欠ワイパ動作モードでワイパブレード７０を動作させる。
【００３８】
また、ワイパレバー１０がＭＩＳＴポジション方向に傾倒操作されると、磁気検出部３０ｄから制御部４０に磁石の検出信号が出力される。制御部４０は、磁気検出部３０ｄから入力された検出信号により、ワイパレバー１０がＭＩＳＴポジション方向に傾倒操作されたと判断する。これにより、ワイパ駆動部６０へ駆動信号Ｖｃ（ワイパモータ駆動オン信号）を出力して、ワイパモータ７１を電流駆動してワイパ液を噴射しながらミスト動作モードでワイパブレード７０を動作させる。
【００３９】
（ワイパレバーの傾倒操作によるフェールセーフ動作）
本実施の形態では、制御部４０が故障しても、ワイパレバー１０をＷＨポジション方向へ傾倒操作することによりワイパ駆動が行われるフェールセーフ機能を備えている。
【００４０】
図４に示すように、磁石２０ａが磁気検出部３０ａに近接する位置まで移動すると、磁石２０ａがこの磁石２０ａに対向する板バネ５１の先端部５１ｃを吸着する方向に引き寄せる。これにより先端部５１ｃと接点部材５２が電気的に接触し、図３に示すように、電源電圧Ｖｃｃから板バネ５１を介して通電され、接点スイッチ部５０からの入力端子電圧ＶｂがＬｏレベルとなる。
【００４１】
ワイパ駆動部６０は、制御部４０からの駆動信号Ｖｃがオン信号（ワイパモータ駆動オン）のとき、または、接点スイッチ部５０からの入力端子電圧Ｖｂがオン信号（ワイパモータ駆動オン）のときにワイパモータ７１を電流駆動する。したがって、制御部４０が故障して駆動信号Ｖｃがオン信号（ワイパモータ駆動オン）となっていなくても、接点スイッチ部５０からの入力端子電圧ＶｂがＨｉレベルからＬｏレベルに変化すれば、ワイパモータ７１を電流駆動してワイパブレード７０を動作させることができる。すなわち、ワイパレバー１０をＷＨポジション方向へ傾倒操作することで、フェールセーフ機能によりワイパ駆動を行なうことが可能である。
【００４２】
なお、板バネ５１の先端部５１ｃと接点部材５２が電気的に接触して接点スイッチ部５０からの入力端子電圧ＶｂがＬｏレベルになれば、その立ち下がりでエッジトリガをかけてオン信号（ワイパモータ駆動オン）をラッチすることにより、ワイパ駆動を継続して実行することが可能である。このような構成とすることにより、フェールセーフ動作を確実なものとすることができる。
【００４３】
（第１の実施の形態に係るワイパ装置の効果）
本発明の第１の実施の形態によれば、ワイパレバー１０をＷＨポジション方向へ傾倒操作することにより板バネ５１の先端部５１ｃと接点部材５２が電気的に接触する。これにより、接点スイッチ部５０からの入力端子電圧Ｖｂがオン信号（ワイパモータ駆動オン）となり、ワイパ駆動部６０がワイパモータ７１を電流駆動してワイパブレード７０を動作させる。したがって、ワイパ制御部（マイコン）が何らかの故障により機能しなくなった場合でも、確実にワイパ動作ができる。すなわち、フェールセーフ機能を備えたワイパ装置を提供することが可能となる。
【００４４】
（本発明の第２の実施の形態）
図５は、本発明の第２の実施の形態に係るワイパ装置１の回転支軸１３ａに直交する面の断面図である。第２の実施の形態は、板バネ５１の先端部５１ｃにおいて、磁石２０ａと対向しない上側の面に、鉄片５５を備えている。この鉄片５５は、例えば、軟鉄、パーマロイ等の軟磁性材料が使用できる。この鉄片５５は、先端部５１ｃに固定される。
【００４５】
板バネ５１は、磁性を有しないばね用ステンレス鋼であるオーステナイト系ステンレス鋼（ＳＵＳ３０１、ＳＵＳ３０４）やリン青銅を使用することが可能である。その他の構成、動作は、第１の実施の形態と同様である。
【００４６】
（第２の実施の形態に係るワイパ装置の効果）
第２の実施の形態では、鉄片５５が磁石２０ａに吸着される方向に移動して板バネ５１の先端部５１ｃが接点部材５２と接触する。したがって、第２の実施の形態は、第１の実施の形態に係るワイパ装置の効果に加えて、板バネ５１が容易に磁石２０ａに吸着される方向に移動でき、ワイパレバー１０をＷＨポジション方向へ傾倒操作した時の接点スイッチ部５０のスイッチ動作が確実になるという効果を有する。
【００４７】
また、板バネ５１として磁性を有しないばね用ステンレス鋼であるオーステナイト系ステンレス鋼（ＳＵＳ３０１、ＳＵＳ３０４）やリン青銅を使用することが可能である。したがって、バネ性に優れる板バネ材料を使用でき、板バネ５１の弾性変形の範囲が十分にとれるので、接点スイッチ部５０の信頼性が向上する。
【００４８】
（本発明の第３の実施の形態）
図６は、本発明の第３の実施の形態に係るワイパ装置１の回転支軸１３ａに直交する面の断面図である。第３の実施の形態は、板バネ５１の先端部５１ｃにおいて、磁石２０ａと対向しない上側の面に、磁石５６を備えている。この磁石５６は、磁石２０ａと同じものを使用することができ、図６に示すように、磁石２０ａと極性が異なる向きに固定されている。本実施の形態では、磁石５６と磁石２０ａは、Ｓ極とＮ極が対向している。
【００４９】
板バネ５１は、第１の実施の形態と同様にばね鋼（ＳＵＰ６、７、９等）が使用できるが、磁性を有しないばね用ステンレス鋼であるオーステナイト系ステンレス鋼（ＳＵＳ３０１、ＳＵＳ３０４）やリン青銅も使用することが可能である。
【００５０】
磁気検出部３０ａには、磁石５６により定常磁界が作用するので、この定常磁界によるオフセット信号分を考慮して、磁石２０ａの接近による検出信号を制御部４０に出力する。その他の構成、動作は、第１の実施の形態と同様である。
【００５１】
（第３の実施の形態に係るワイパ装置の効果）
第３の実施の形態では、磁石５６が磁石２０ａに吸着される方向に移動して板バネ５１の先端部５１ｃが接点部材５２と接触する。したがって、第３の実施の形態は、第１、２の実施の形態に係るワイパ装置の効果に加えて、板バネ５１が容易に磁石２０ａに吸着される方向に移動でき、ワイパレバー１０をＷＨポジション方向へ傾倒操作した時の接点スイッチ部５０のスイッチ動作が確実になるという効果を有する。
【００５２】
（本発明の第４の実施の形態）
図７（ａ）は、本発明の第４の実施の形態に係るワイパ装置１の回転支軸１３ａに直交する面の断面図であり、図７（ｂ）は、図７（ａ）における状態からＷＨポジション方向にワイパレバーの傾倒操作がされた状態を示す、回転支軸１３ａに直交する面の断面図である。
【００５３】
第４の実施の形態は、接点スイッチ部５０が、ワイパスイッチ基板１２の下面１２ａに設けられている。また、板バネ５１の先端部５１ｃにおいて、磁石２０ａと対向する下側の面に、磁石５６を備えている。この磁石５６は、磁石２０ａと同じものを使用することができ、図７（ａ）に示すように、磁石２０ａと同じ極性が対向するように固定されている。本実施の形態では、磁石５６と磁石２０ａは、Ｎ極とＮ極が対向している。
【００５４】
板バネ５１は、磁性を有しないばね用ステンレス鋼であるオーステナイト系ステンレス鋼（ＳＵＳ３０１、ＳＵＳ３０４）やリン青銅を使用するが、第１の実施の形態と同様にばね鋼（ＳＵＰ６、７、９等）を使用することも可能である。
【００５５】
磁気検出部３０ａには、磁石５６により定常磁界が作用するので、この定常磁界によるオフセット信号分を考慮して、磁石２０ａの接近による検出信号を制御部４０に出力する。その他の構成、ワイパ駆動動作は、第１の実施の形態と同様である。
【００５６】
（ワイパレバーの傾倒操作によるフェールセーフ動作）
ワイパレバー１０がＷＨポジション方向へ傾倒操作されると、図７（ｂ）に示すように、磁石２０ａが移動して磁石５６に近接する。これにより、磁石５６は反発して、板バネ５１の先端部５１ｃが接点部材５２と接触する。これにより、ワイパ駆動部６０の入力端子電圧Ｖｂがオン信号（ワイパモータ駆動オン）になる構成とされている。
【００５７】
（第４の実施の形態に係るワイパ装置の効果）
第４の実施の形態では、磁石５６と磁石２０ａの反発を利用して板バネ５１の先端部５１ｃと接点部材５２とを接触させる。これにより、第４の実施の形態は、第１、２、３の実施の形態に係るワイパ装置の効果に加えて、磁石２０ａが接点スイッチ部５０のどこにも接触することがなく、非接触によるフェールセーフ動作を確実にすることができるという効果を有する。
【００５８】
（本発明の第５の実施の形態）
図８（ａ）は、本発明の第５の実施の形態に係るワイパ装置１の回転支軸１３ａに直交する面の断面図であり、図８（ｂ）は、図８（ａ）における状態からＷＨポジション方向にワイパレバーの傾倒操作がされた状態を示す、回転支軸１３ａに直交する面の断面図である。
【００５９】
第５の実施の形態に係るワイパ装置１は、操作者によって操作されるワイパレバー１０と、ワイパレバー１０の一部、本実施の形態では下端側に設けられた磁石２０（永久磁石）と、磁石の移動による磁界の変化を検出する磁気検出部３０と、磁気検出部３０の検出結果に基づいてオンオフ信号を出力する制御部４０と、ワイパレバー１０の動きに基づいてオンオフ信号を出力する接点スイッチ部５０と、制御部４０のオンオフ信号又は接点スイッチ部５０のオンオフ信号に基づいてワイパブレード７０を駆動するワイパ駆動部６０と、を有して構成されている。
【００６０】
第５の実施の形態は、接点スイッチ部として、ワイパスイッチ基板１２の下面１２ａに接点部５７、５８が設けられている。また、磁石２０ａの表面には、導電性を有するカーボン等の接触板５９が貼り付けられている。
【００６１】
ワイパスイッチ基板１２の上面１２ｂには、ＷＨポジション、ＷＬポジション、ＩＮＴポジション、Ｍポジションの４つのポジションにそれぞれ対応して、磁気検出部３０ａ、３０ｂ、３０ｃ、３０ｄが実装されている。その他の構成、ワイパ駆動動作は、第１の実施の形態と同様である。
【００６２】
（ワイパレバーの傾倒操作によるフェールセーフ動作）
ワイパレバー１０がＷＨポジション方向へ傾倒操作されると、図８（ｂ）に示すように、磁石２０ａが移動して、その表面に貼り付けられた接触板５９とワイパスイッチ基板１２の下面１２ａに設けられた接点部５７、５８が接触する。これにより、ワイパ駆動部６０の入力端子電圧Ｖｂがオン信号（ワイパモータ駆動オン）になる構成とされている。
【００６３】
（第５の実施の形態に係るワイパ装置の効果）
第５の実施の形態では、第１の実施の形態に係るワイパ装置の効果に加えて、板バネを用いずに、ワイパレバー１０の動きに基づいてオンオフ信号を出力する接点スイッチ部を構成することができるという効果を有する。
【００６４】
尚、本発明は上記の実施の形態に限定されるものではなく、その要旨を逸脱しない範囲で種々の態様において実施することが可能である。また、上記実施の形態においては、日本国内仕様の右ハンドル車両に適合させるため、ワイパレバー１０をステアリングホィール１０２の左側に設けたが、外国向け等の左ハンドル車両では、ステアリングホィール１０２の右側に設けることができる。
【符号の説明】
【００６５】
１…ワイパ装置
１０…ワイパレバー
１１…磁石取付ホルダ
１２…ワイパスイッチ基板
１３ａ、１３ｂ…回転支軸
２０ａ、２０ｂ、２０ｃ、２０ｄ…磁石
３０ａ、３０ｂ、３０ｃ、３０ｄ…磁気検出部
５０…接点スイッチ部
５１…板バネ、５１ａ…基部、５１ｂ…中間部、５１ｃ…先端部
５２…接点部材
５５…鉄片
５６…磁石
５７、５８…接点部材
５９…接触板
６０…ワイパ駆動部
７０…ワイパブレード
７１…ワイパモータ
１０１…ステアリングコラムケース
１０２…ステアリングホィール
１０３…ターンレバー
Ｒ…抵抗
Ｒｐ…プルアップ抵抗
Ｖｃｃ…電源電圧
ＧＮＤ…グランド
【図１】
2015110359.tif 000003
【図２】
2015110359.tif 000004
【図３】
2015110359.tif 000005
【図４】
2015110359.tif 000006
【図５】
2015110359.tif 000007
【図６】
2015110359.tif 000008
【図７】
2015110359.tif 000009
【図８】
2015110359.tif 000010